(57)【要約】【課題】レンチキュラーレンズシートに生じるしわ・撓みを発生させない透過型プロジェクションスクリーンを提供することを目的とする。【解決手段】フレーム２０の四隅にはワイヤー５１を架張するための架張ピン２１と、透過型スクリーン１０のレンチキュラーレンズシート１１側の四隅にはレンチキュラーレンズシート１１を引っ張るための引張ピン４１が固定された保持板３１とが設けられており、架張ピン２１と引張ピン４１との間を張力調整機構６１を介してワイヤー５１を張り巡らすことにより、レンチキュラーレンズシート１１がフレーム２０の四隅方向に絶えず一定の張力で引っ張られた状態で保持、固定されている透過型プロジェクションスクリーンである。【選択図】図１
2009086205.tif 000002
【特許請求の範囲】
【請求項１】
レンチキュラーレンズシート（１１）とフレネルレンズシート（１２）とを積層してなる透過型スクリーン（１０）がフレーム（２０）に保持、固定された透過型プロジェクションスクリーンであって、
前記フレーム（２０）の四隅にはワイヤー（５１）を架張するための架張ピン（２１）と、前記透過型スクリーン（１０）のレンチキュラーレンズシート（１１）側の四隅にはレンチキュラーレンズシート（１１）を引っ張るための引張ピン（４１）が固定された保持板（３１）とが設けられており、前記架張ピン（２１）と引張ピン（４１）との間を張力調整機構（６１）を介してワイヤー（５１）を張り巡らすことにより、前記レンチキュラーレンズシート（１１）が前記フレーム（２０）の四隅方向に絶えず一定の張力で引っ張られた状態で保持、固定されていることを特徴とする透過型プロジェクションスクリーン。
【請求項２】
前記フレーム（２０）と透過型スクリーン（１０）とがコの字形状の保持具（７１）にて保持されていることを特徴とする請求項１に記載の透過型プロジェクションスクリーン。
【発明の詳細な説明】
【技術分野】
【０００１】
本発明は、レンチキュラーレンズシートとフレネルレンズシートとを積層してなる透過型スクリーンがフレームに保持、固定された透過型プロジェクションスクリーンに関し、特に、レンチキュラーレンズシートにしわ、撓み等が発生するのを防止することができる、透過型プロジェクションスクリーンに関する。
【背景技術】
【０００２】
フレネルレンズシートもレンチキュラーレンズシートも自立性を有する透過型プロジェクションスクリーンでは、双方のレンズシートを筐体内部凹部に重ね合わせて挿入し、別部材の治具を用いて固定する。ここで、自立性を有するとは、形状を保持したまま起こすことが可能なほどの剛性を有していることを指す。
図５は、従来の固定方法の一例を示すもので、レンチキュラーレンズシート２１１、フレネルレンズシート２１２を筐体（フレーム）２３０の凹部（筐体枠）に置き、保持部材２４０を介してねじ２５０を用いて固定する。
なお、同図では、左側が観察者側となり、右側がプロジェクタを備えるTVキャビネット側となる。
【０００３】
図５では、フレネルレンズシート２１２やレンチキュラーレンズシート２１１の材質や筐体（フレーム）２３０との関係もあるが、フレネルレンズシート２１２もレンチキュラーレンズシート２１１もそれらの材質の熱膨張係数の大きな違いが無く、厚みが同じ程度であれば、フレネルレンズシート２１２とレンチキュラーレンズシート２１１とを重ね合わせて、粘着テープ（図示せず）で固定し、筐体（フレーム）２３０へ固定した後、温度変化や湿度変化に応じてフレネルレンズシートとレンチキュラーレンズシートとの間の浮き、反りなどが生じても、常温環境下に放置すると元の状態に戻るようになる。
【０００４】
一方、レンチキュラーレンズシートとフレネルレンズシートを用いた透過型プロジェクションスクリーンについては、光学特性を向上させるため、薄型化が進んでいる。
レンチキュラーレンズシートについては、映像源の高精細化に伴うファインピッチ化により、光学特性上、必然的に薄板化となる。
フレネルレンズシートについては、板厚が厚いと迷光による二重像が発生するため、薄板化が必要であることによる。
【０００５】
この薄板化が進むと、レンチキュラーレンズシートとフレネルレンズシートの２枚構成だけでは、スクリーン外側から外力が加わった際、剛性不足により簡単にスクリーンが枠から外れたり、スクリーンが破損してしまったりという問題が発生する。
【０００６】
また、昨今、自立性の無い（可撓性を有する）フレキシブルな基材からなるフレネルレンズシートやレンチキュラーレンズシートを用いたスクリーンの開発が行われている。
一方のレンズシートが自立性のない基材で、他方のレンズシートが自立性のある基材で構成されたプロジェクションスクリーンでは、２辺または４辺が接着剤あるいは粘着剤で固定されているため、温度変化や湿度変化による膨張や伸縮で、自立性のない方のレンズシートにしわや浮きが生じてしまい、透過型プロジェクションTVに組み込んだ状態では、経時的なフォーカスのボケや色ずれが生じることになり、画像劣化を招くという問題を有している。
【０００７】
上記問題を解消するために、自立性のあるフレネルレンズシートと自立性のないレンチキュラーレンズシートとを重ねあわせる際、フレネルレンズシートとレンチキュラーレン
ズシートとの下部端縁を弾性接着層で固定し、他方のレンチキュラーレンズシートフリーにしておき、保持テープで吊り下げた状態の透過型リアプロジェクションスクリーンが提案されている（例えば、特許文献1参照）。
図４に、上記透過型リアプロジェクションスクリーンの模式構成断面図を示す。
これは、自立性を有する基材からなるフレネルレンズシート１２１と自立性のない基材からなるレンチキュラーレンズシート１１１を重ね合わせ、フレネルレンズシート１２１の周囲を筐体枠と保持具で保持、固定した透過型リアプロジェクションスクリーンの事例である。
【０００８】
自立性を有する基材からなるフレネルレンズシート１２１と自立性のない基材からなるレンチキュラーレンズシート１１１とは下部端縁が弾性接着層１５１で固定され、自立性のない基材からなるレンズシートレンチキュラーレンズシート１１１の上部端縁と保持テープ１３１の一方の端部とが接着層１６１にて固定され、保持テープ１３１の他方の端部が筐体枠１４１ａに接着層１６２を介して保持具１４２ａとの間で固定されている。
この状態では、自立性を有する基材からなるフレネルレンズシート１２１と自立性のない基材からなるレンチキュラーレンズシート１１１とは、保持テープ１３１で絶えず吊り下げられた状態になって、自立性のない基材からなるレンチキュラーレンズシート１１１にはしわ、撓み等が発生し難くなっている。
【０００９】
しかしながら、上記保持テープで吊り下げる方式の透過型リアプロジェクションスクリーンでは、両レンズシートを吊り下げる構造が複雑である。また、自立性を有する基材からなるフレネルレンズシート１２１の板厚、サイズに応じて重さが決まってしまうため、自立性のない基材からなるレンチキュラーレンズシートに付与する張力に限界がある。また、両レンズシートが吊り下がった構造であるため、振動に弱い。また、両レンズシートの密着力が弱い等の問題を有している。
【特許文献１】特開２００４−１１８１６６号公報
【発明の開示】
【発明が解決しようとする課題】
【００１０】
本発明は、上記問題点に鑑み考案されたもので、レンチキュラーレンズシートとフレネルレンズシートとを積層してなる透過型スクリーンがフレームに保持、固定された透過型プロジェクションスクリーンであって、レンチキュラーレンズシートに生じるしわ・撓みを発生させない透過型プロジェクションスクリーンを提供することを目的とする。
【課題を解決するための手段】
【００１１】
本発明に於いて上記課題を達成するために、まず請求項１においては、レンチキュラーレンズシート１１とフレネルレンズシート１２とを積層してなる透過型スクリーン１０がフレーム２０に保持、固定された透過型プロジェクションスクリーンであって、
前記フレーム２０の四隅にはワイヤー５１を架張するための架張ピン２１と、前記透過型スクリーン１０のレンチキュラーレンズシート１１側の四隅にはレンチキュラーレンズシート１１を引っ張るための引張ピン４１が固定された保持板３１とが設けられており、前記架張ピン２１と引張ピン４１との間を張力調整機構６１を介してワイヤー５１を張り巡らすことにより、前記レンチキュラーレンズシート１１が前記フレーム２０の四隅方向に絶えず一定の張力で引っ張られた状態で保持、固定されていることを特徴とする透過型プロジェクションスクリーンとしたものである。
【００１２】
また、請求項２においては、前記フレーム２０と透過型スクリーン１０とがコの字形状の保持具７１にて保持されていることを特徴とする請求項１に記載の透過型プロジェクションスクリーンとしたものである。
【発明の効果】
【００１３】
本発明の透過型プロジェクションスクリーンは、フレーム２０の四隅にはワイヤー５１を架張するための架張ピン２１を、透過型スクリーン１０のレンチキュラーレンズシート１１側の四隅にはレンチキュラーレンズシート１１を引っ張るための引張ピン４１をそれぞれ設け、架張ピン２１と引張ピン４１との間を張力調整機構６１を介してワイヤー５１を張り巡らして、レンチキュラーレンズシート１１をフレーム２０の四隅方向に絶えず一定の張力で引っ張っているので、レンチキュラーレンズシート１１にはしわ・撓みが発生するのを防止することができる。
また、フレーム２０と透過型スクリーン１０とがコの字形状の保持具７１にて保持されているので、透過型スクリーン１０がフレーム２０の前後に暴れるのを防止することができる。
【発明を実施するための最良の形態】
【００１４】
以下、本発明の実施の形態につき説明する。
図１（ａ）は、本発明の透過型プロジェクションスクリーンの一実施例を示す模式上面図、図１（ｂ）は、図１（ａ）をＡ−Ａ’線で切断した模式構成断面図である。
本発明の透過型プロジェクションスクリーンは、４隅に保持板３１を介して引張ピン４１が取り付けられたレンチキュラーレンズシート１１とフレネルレンズシート１２とを積層してなる透過型スクリーン１０が、四隅にワイヤー５１を架張するための架張ピン２１が設置されフレーム２０にワイヤー５１を介して保持、固定されたものである。
架張ピン２１と引張ピン４１との間を張力調整機構６１を介してワイヤー５１を張り巡らして、レンチキュラーレンズシート１１をフレーム２０の四隅方向に絶えず一定の張力で引っ張っているので、レンチキュラーレンズシート１１の４隅には外向き、すなわちしわ、撓みを伸ばす方向への張力が働くこととなり、レンチキュラーレンズシート１１に生じるしわ、撓みの発生を防止することができる。
ワイヤー５１は張力調整機構６１を介して張り巡らされているので、張力調整機構６１の張力を調整することにより、ワイヤー５１の引っ張り張力を調整することができる。
張力調整機構６１は、バネ、ゴム等が使用できる。
【００１５】
図２（ａ）は、引張ピン４１が固定された保持板３１をレンチキュラーレンズシート１１に取り付けた透過型スクリーンを示す部分模式上面図を、図２（ｂ）及び（ｃ）は、引張ピン４１が固定された保持板３１をレンチキュラーレンズシート１１に取り付ける取り付け方法の一例を示す透過型スクリーンの部分模式構成断面図をそれぞれ示す。
引張ピン４１が固定された保持板３１のレンチキュラーレンズシート１１への取り付けは、図２（ｂ）に示すように片側取り付けでも良いし、図２（ｃ）に示すように両側取り付けのいずれでも良い。
【００１６】
図３（ａ）及び（ｂ）は、レンチキュラーレンズシート１１に対角方向への張力を与えるためのフレーム２０の架張ピン２１の配置例を示す説明図である。
実際にはレンチキュラーレンズシート１１のしわ、撓みが必ずしも対角方向への張力の付与のみで除去できるとは限らない。その場合には、図３（ａ）及び（ｂ）に示すように、垂直方向又は水平方向へ張力を強めるよう架張ピン２１を適宜配置することにより、しわ、撓みに対し適切な方向の張力を付与でき、それらを解消することが可能となる。
【００１７】
請求項２に係る発明は、フレーム２０と透過型スクリーン１０とがコの字形状の保持具７１にて保持されるようにしたものである。
レンチキュラーレンズシート１１とフレネルレンズシート１２からなる透過型スクリーンは、ワイヤー５１で吊られた形になっているので、フレーム２０の前後には動き易くなっている。このフレーム２０の前後に対する透過型スクリーン１０の暴れを防止するために
、コの字形状の保持具７１にて透過型スクリーン１０をフレーム２０に保持、固定するようにしたものである。
【００１８】
以下実施例により本発明を詳細に説明する。
【実施例１】
【００１９】
まず、ＵＶ樹脂で成型されたレンチキュラーレンズの下にカーボンブラックの墨箔があり、その下にメチルスチレン樹脂に１２μｍのアクリル樹脂でできた透明フィラーが配合された０．１８８ｍｍ厚のレンチキュラーレンズシート１１とメチルスチレン樹脂に１２μｍアクリル樹脂でできた透明フィラーが配合された２．０ｍｍ厚のフレネルレンズシート１２を積層し、レンチキュラーレンズシート１１の４隅に引張ピン４１が固定された保持板３１を取り付けて透過型スクリーン１０を作製した。
ここで、透過型スクリーン１０のサイズは、縦５４４ｍｍ、横９４７ｍｍである。
【００２０】
次に、アルミニウムからなるフレーム２０の四隅の所定位置に２個ずつ計８個の架張ピン２１を取り付けた。
【００２１】
次に、架張ピン２１と引張ピン４１との間をバネからなる張力調整機構６１を介して鉄からなる線径１ｍｍφのワイヤー５１を張り巡らし、アルミニウムからなる保持具７１にて透過型スクリーン１０をフレーム２０に固定して本発明の透過型プロジェクションスクリーンを作製した（図１（ａ）及び（ｂ）参照）。
【００２２】
上記実施例１で作製した透過型プロジェクションスクリーンを各種環境条件に放置し、スクリーン面状態を観察した。その評価結果を表１に示す。
【００２３】
【表１】
2009086205.tif 000003
上記表１より明らかなように、本発明の透過型プロジェクションスクリーンは各種環境条件に放置しても、しわ、撓みが発生してないのを確認することができた。
【図面の簡単な説明】
【００２４】
【図１】（ａ）は、本発明の透過型プロジェクションスクリーンの一実施例を示す模式上面図である。（ｂ）は、（ａ）をＡ−Ａ’線で切断した透過型プロジェクションスクリーンの部分模式構成断面図である。
【図２】（ａ）は、レンチキュラーレンズシート１１の４隅に引張ピン４１が固定された保持板３１を取り付けた状態を示す部分模式上面図である。（ｂ）及び（ｃ）は、レンチキュラーレンズシート１１の４隅に引張ピン４１が固定された保持板３１を取り付けた状態を示す部分模式構成断面図である。
【図３】（ａ）及び（ｂ）は、フレーム２０に架張ピン２１が取り付けられたフレーム２０の架張ピン２１の配置例を示す説明図である。
【図４】従来の透過型プロジェクションスクリーンの一例を示す模式構成断面図である。
【図５】従来の透過型プロジェクションスクリーンの他の例を示す模式構成断面図である。
【符号の説明】
【００２５】
１０……透過型スクリーン
１１、１１１、２１１……レンチキュラーレンズシート
１２、１２１、２１２……フレネルレンズシート
２０……フレーム
２１……架張ピン
３１……保持板
４１……引張ピン
５１……ワイヤー
６１……張力調整機構
７１……保持具
１３１……保持テープ
１４１ａ、１４１ｂ……筺体枠
１４２ａ、１４２ｂ……保持枠
１４３、２５０……ねじ
１５１……弾性接着層
１６１、１６２……接着層
２３０……筺体（フレーム）
２４０……保持部材
【図１】
2009086205.tif 000004
【図２】
2009086205.tif 000005
【図３】
2009086205.tif 000006
【図４】
2009086205.tif 000007
【図５】
2009086205.tif 000008